(57)【要約】      （修正有）【課題】接合面から溢れ出す接着剤の圧力発生手段側への流れ出しを抑制する。【解決手段】ノズルが通じる複数の個別液室の液体を加圧する圧力を発生する複数の圧電アクチュエータ３３を含むアクチュエータ基板と、アクチュエータ基板に接着剤で接合された保持基板５０とを備え、保持基板は、アクチュエータ基板の隣り合う圧電アクチュエータの間に接合される柱状の保持部５５を有し、保持部には、ノズル配列方向に沿う方向に接合面を横切る溝部５６が設けられている。【選択図】図４
2017105008.tif 000002
【特許請求の範囲】
【請求項１】
ノズルが通じる複数の個別液室の液体を加圧する圧力を発生する複数の圧力発生手段を含むアクチュエータ基板と、
前記アクチュエータ基板に接着剤で接合された保持基板と、を備え、
前記保持基板は、前記アクチュエータ基板の隣り合う前記圧力発生手段の間に接合される柱状の保持部を有し、
前記保持基板の保持部には、前記アクチュエータ基板との接合面を、ノズル配列方向と直交する方向と交差する方向に横切る溝部が設けられている
ことを特徴とする液体吐出ヘッド。
【請求項２】
前記アクチュエータ基板は、前記保持基板の保持部と接合される凸状の接合部を有し、
前記アクチュエータ基板の接合部は、ノズル配列方向に沿う方向の両側に段差部を有している
ことを特徴とする請求項１に記載の液体吐出ヘッド。
【請求項３】
請求項１又は２に記載の液体吐出ヘッドを含むことを特徴とする液体吐出ユニット。
【請求項４】
前記液体吐出ヘッドに供給する液体を貯留するヘッドタンク、前記液体吐出ヘッドを搭載するキャリッジ、前記液体吐出ヘッドに液体を供給する供給機構、前記液体吐出ヘッドの維持回復を行う維持回復機構、前記液体吐出ヘッドを主走査方向に移動させる主走査移動機構の少なくともいずれか一つと前記液体吐出ヘッドとを一体化した
ことを特徴とする請求項３に記載の液体吐出ユニット。
【請求項５】
請求項１又は２に記載の液体吐出ヘッド、又は、請求項３若しくは４に記載の液体吐出ユニットを備えていることを特徴とする液体を吐出する装置。
【発明の詳細な説明】
【技術分野】
【０００１】
本発明は液体吐出ヘッド、液体吐出ユニット、液体を吐出する装置に関する。
【背景技術】
【０００２】
液体吐出ヘッドとして、個別液室の液体を加圧する圧力を発生する複数の圧力発生手段を含むアクチュエータ基板と、圧力発生手段の間でアクチュエータ基板に接合される柱状の保持部を有する保持基板とを備えるものがある。
【０００３】
ここで、保持基板の保持部とアクチュエータ基板とを接合する接着剤が圧力発生手段側まで流れ出すと、圧力発生手段によって発生する圧力の特性にばらつきが生じることがある。
【０００４】
そこで、従来、アクチュエータ基板の保持基板の保持部との接合部、あるいは、保持基板の保持部を段差形状としたもの（特許文献１ないし４）、アクチュエータ基板の保持基板との接合部を分割して島状としたもの（特許文献５）などがある。
【先行技術文献】
【特許文献】
【０００５】
【特許文献１】特開２０１４−１７２３２８号公報
【特許文献２】特開２０１４−２１３４８０号公報
【特許文献３】特開２００９−１４３０１４号公報
【特許文献４】特開２０１４−１７７０２５号公報
【特許文献５】特開２０１４−１７２３５２号公報
【発明の概要】
【発明が解決しようとする課題】
【０００６】
ところで、例えば保持基板の保持部の接合面に適切な量の接着剤を塗布してアクチュエータ基板と接合した場合であっても、両基板を加圧したときに余分な接着剤が接合面から溢れ出すことになる。そのため、上述したように溢れ出した接着剤が圧力発生手段側まで流出しないようにする必要がある。
【０００７】
この場合、アクチュエータ基板の保持基板の保持部との接合部、あるいは、保持基板の保持部を段差形状としても、接合面内で偏って接着剤が塗布されると、段差形状の部分で溢れ出した接着剤をすべて貯留することができず、圧力発生手段側まで流出するおそれがある。
【０００８】
本発明は上記の課題に鑑みてなされたものであり、接合面から溢れ出す接着剤の圧力発生手段側への流れ出しを抑制することを目的とする。
【課題を解決するための手段】
【０００９】
上記の課題を解決するため、本発明に係る液体吐出ヘッドは、
ノズルが通じる複数の個別液室の液体を加圧する圧力を発生する複数の圧力発生手段を含むアクチュエータ基板と、
前記アクチュエータ基板に接着剤で接合された保持基板と、を備え、
前記保持基板は、前記アクチュエータ基板の隣り合う前記圧力発生手段の間に接合される柱状の保持部を有し、
前記保持基板の保持部には、前記アクチュエータ基板との接合面を、ノズル配列方向と直交する方向と交差する方向に横切る溝部が設けられている
構成とした。
【発明の効果】
【００１０】
本発明によれば、接合面から溢れ出す接着剤の圧力発生手段側への流れ出しを抑制することができる。
【図面の簡単な説明】
【００１１】
【図１】本発明の第１実施形態に係る液体吐出ヘッドの分解斜視説明図である。
【図２】同ヘッドのノズル配列方向と直交する方向に沿う断面説明図である。
【図３】同ヘッドのノズル配列方向に沿う断面説明図である。
【図４】同ヘッドにおけるアクチュエータ基板と保持基板の接合部分の説明に供する要部斜視説明図である。
【図５】同じくアクチュエータ基板の接合部の斜視説明図である。
【図６】同じく保持基板の保持部の異なる例の斜視説明図である。
【図７】同じくノズル配列方向と直交する方向の断面説明図である。
【図８】図７のＡ−Ａ線に沿う断面説明図である。
【図９】図７のＢ−Ｂ線に沿う断面説明図である。
【図１０】本発明に係る液体を吐出する装置の一例の要部平面説明図である。
【図１１】同装置の要部側面説明図である。
【図１２】本発明に係る液体吐出ユニットの他の例の要部平面説明図である。
【図１３】本発明に係る液体吐出ユニットの更に他の例の正面説明図である。
【発明を実施するための形態】
【００１２】
以下、本発明の実施形態について添付図面を参照して説明する。本発明の第１実施形態に係る液体吐出ヘッドについて図１ないし図３を参照して説明する。図１は分解斜視説明図、図２は同ヘッドのノズル配列方向と直交する方向に沿う断面説明図、図３は同ヘッドのノズル配列方向に沿う断面説明図である。なお、図３では部分的に簡略化して図示している。
【００１３】
この液体吐出ヘッドは、ノズル板１と、流路板２と、振動板部材３と、圧力発生素子である圧電素子１１と、保持基板（保護基板とも称される。）５０と、共通液室部材７０と、駆動ＩＣ５０９などを備えている。
【００１４】
なお、本実施形態では、流路板２、振動板部材３及び圧電素子１１などのノズル板１と保持基板５０との間に介在する部材全体を「アクチュエータ基板２０」と総称している。ただし、アクチュエータ基板２０として独立の部材が形成された後にノズル板１や保持基板５０と接合される場合に限定されるものではない。
【００１５】
ノズル板１には、液体を吐出する複数のノズル４が配列されたノズル列が配置されている。
【００１６】
流路板２は、ノズル板１及び振動板部材３とともに、ノズル４が通じる個別液室６、個別液室６に通じる流体抵抗部７、流体抵抗部７が通じる液導入部８を形成している。
【００１７】
この液導入部８は振動板部材３の供給口９と保持基板５０の流路となる開口部５１を介して共通液室部材７０で形成される共通液室１０に通じている。
【００１８】
振動板部材３は、個別液室６の壁面の一部を形成する変形可能な振動領域（振動板）３０を形成している。
【００１９】
そして、この振動板部材３の振動領域３０の個別液室６と反対側の面には、振動領域３０と一体的に圧電素子１１が設けられ、振動領域３０と圧電素子１１によって圧力発生手段としての圧電アクチュエータ３３を構成している。
【００２０】
圧電素子１１は、振動板３０側から下部電極１３、圧電層（圧電体層）１２及び上部電極１４を順次積層形成して構成したものである。
【００２１】
保持基板５０は、圧電素子１１を収容する凹部５２を有し、アクチュエータ基板２０の振動板部材３上に接着剤３００で接合されている。保持基板５０の凹部５２間は、ノズル配列方向において、圧電素子１１の間でアクチュエータ基板２０に接合される柱状の保持部５５となる。この保持部５５は、圧電素子１１間でアクチュエータ基板２０を固定する支柱部（隔壁部）でもある。
【００２２】
また、保持基板５０には、ドライバＩＣ５０９を収容する開口部５３が設けられている。圧電素子１１の個別電極となる上部電極１４は個別電極配線１６を通じてドライバＩＣ５０９に接続される。なお、圧電素子１１の共通電極となる下部電極１３は共通電極配線１８に接続されている。
【００２３】
そして、保持基板５０には振動板部材３と反対側に共通液室部材７０が接着剤３０１で接合され、この共通液室部材７０で保持基板５０を一部の壁面とする共通液室１０が形成されている。また、共通液室１０の保持基板５０で形成されている壁面と反対側の壁面は変形可能なダンパ９０が設けられている。
【００２４】
この液体吐出ヘッドでは、ドライバＩＣ５０９から圧電素子１１の上部電極１４と下部電極１３の間に電圧を与えることで、圧電層１２が電極積層方向、すなわち電界方向に伸張し、振動領域３０と平行な方向に収縮する。
【００２５】
これにより、振動領域３０の下部電極１３側に引っ張り応力が発生し、振動領域３０が個別液室６側に撓み、内部の液体を加圧することで、ノズル４から液体が吐出される。
【００２６】
次に、この液体吐出ヘッドにおけるアクチュエータ基板と保持基板の接合部分について図４ないし図９も参照して説明する。図４は同説明に供する要部斜視説明図、図５は同じくアクチュエータ基板の接合部の斜視説明図、図６は同じく保持基板の保持部の異なる例の斜視説明図である。図７は同じくノズル配列方向と直交する方向の断面説明図である。図８は図７のＡ−Ａ線に沿う断面説明図、図９は図７のＢ−Ｂ線に沿う断面説明図である。なお、図４及び図７では接着剤は図示していない。
【００２７】
アクチュエータ基板２０には、保持基板５０の保持部５５と接合する接合部２５が設けられている。接合部２５は、ノズル配列方向に沿う方向の断面形状で凸形状をなし、ノズル配列方向に沿う方向の両側に段差部２６を有している。
【００２８】
一方、保持基板５０の保持部５５には、図６（ａ）に示すように、アクチュエータ基板２０の接合部２５との接合面５５ａを、ノズル配列方向と直交する方向と交差する方向に横切る溝部５６が設けられている。これにより、溝部５６は、保持部５５の接合面５５ａに開口するとともに、保持部５５の両側の側壁面５５ｂにも開口する。
【００２９】
この溝部５６は、ノズル配列方向と直交する方向では複数個所に設けられている。また、溝部５６の数、深さ、間隔などは、保持基板５０とアクチュエータ基板２０との接合強度を十分に確保できる範囲内で任意である。また、本実施形態では、溝部５６はノズル配列方向に沿う方向に接合面５５ａを横切っているが、図６（ｂ）に示すように、ノズル配列方向に沿う方向に対して斜めになる方向に横切る配置とすることもできる。
【００３０】
また、ノズル配列方向において、保持基板５０の保持部５５の接合面５５ａの幅Ｗ１は、アクチュエータ基板２０の接合部２５の接合面２５ａの幅Ｗ２よりも広くしている。これにより、接合面５５ａ、２５ａのノズル配列方向に沿う方向での位置ずれが生じても接合面積を確保することができる。
【００３１】
このように構成したので、例えば、保持基板５０の保持部５５の接合面５５ａに、溝部５６内部を含めて接着剤３００を塗布し、アクチュエータ基板２０の接合部２５と接合する。
【００３２】
ここで、図８に示すように、保持基板５０の溝部５６の部分では、溝部５６の開口面（接合面５５ａ）より出ている接着剤３００は、アクチュエータ基板２０の接合部２５と接合するときに両側押し出される。
【００３３】
このとき、接合面５５ａには接合面５５ａを横切る溝部５６が設けられ、両側の側壁面５５ｂに開口していることで、接着剤３００がノズル配列方向に沿う方向のいずれか一方に偏って溢れ出すことが低減される。つまり、ノズル配列方向に沿う方向の溝部５６の部分では、溝部５６が接着剤溜りとなっているので、溝部５６の接合面５５ａ側の開口に接合面２５ａが対向するとき、接着剤３００は溝部５６のノズル配列方向の側壁面５５ｂ側の開口から均等に溢れ出そうとする。
【００３４】
また、この保持基板５０の溝部５６内の接着剤３００は残ったままで両側に押し出されることはなく、このまま接着剤３００が固化することによって溝部５６の内部においてもアクチュエータ基板２０の接合部２５との十分な接合強度を確保できる。
【００３５】
なお、保持基板５０の溝部５６内にも接着剤３００を隙間なく充填することで、接着剤３００が固化することにより、アクチュエータ基板２０と保持基板５０の接合面積は溝部５６が無い場合と同程度の接合面積となる。
【００３６】
一方、図９に示すように、アクチュエータ基板２０の接合部２５の接合面２５ａと保持基板５０の保持部５５の溝部２６以外の接合面５５ａとの間でも接着剤３００が両側に押し出されて溢れ出す。
【００３７】
このとき、溢れ出した接着剤３００はアクチュエータ基板２０の接合部２５の段差部２６で貯留される。この状態で接着剤３００が固化することによって、押し出された接着剤３００を含めてアクチュエータ基板２０と保持基板５０とが所要の接着強度で接合される。
【００３８】
このように、保持基板５０の溝部５６内に充填され、アクチュエータ基板２０の接合部２５の段差部２６に貯留される接着剤３００を含めて、アクチュエータ基板２０の接合部２５及び保持基板５０の保持部５５周りの接着剤３００により、基板２０、５０はなんら接着強度の低下を引き起こすことなく接合される。
【００３９】
このとき、保持基板５０の保持部５５の接合面５５ａ側にノズル配列方向に沿う溝部５６が設けられていることで、接着剤３００がノズル配列方向の一方に偏って溢れ出すことが低減することで、圧電アクチュエータ３３側への流れ出しが抑制される。
【００４０】
さらに、アクチュエータ基板２０の接合部２５に段差部２６が設けられていることで、溢れ出した接着剤３００を貯留できるので、圧電アクチュエータ３３側への流れ出しをより確実に抑制することができる。
【００４１】
ここで、アクチュエータ基板２０の接合部２５側ではなく、保持基板５０の保持部５５側に溝部５６を設けることの作用効果は、次のとおりである。
【００４２】
保持基板５０の保持部５５に接着剤３００を塗布してアクチュエータ基板２０の上から圧力を加えて接着し、加温して接合する工程を考慮すると、保持基板５０の保持部５５に溝部５６がある場合は、接着剤３００を保持基板５０の保持部５５に塗布するときの圧力や毛細管現象などで接着剤３００が保持部５５の溝部５６に十分に充填される。また、保持基板５０の保持部５５の溝部５６は、保持基板５０の表面積を大きくするため、界面張力によって接着剤３００が垂れにくくなる。さらに、アクチュエータ基板２０の接合部２５の接合面は平らなので、圧力を加えて接着することで接着剤３００が両基板の間に十分に行き渡る。更にまた、保持基板５０の保持部５５の溝部５６の全体に接着剤３００が充填されるため、接着剤３００が固化することで保持基板５０の保持部５５の面の全体が接合面５５ａとなるので接合強度に十分に寄与する。
【００４３】
これに対し、アクチュエータ基板２０の接合部２５に溝部がある場合は、接着剤３００を塗布した保持基板５０の保持部５５をアクチュエータ基板２０の接合部２５と接合するときに、接着剤３００と一緒に溝の中に気泡を取り込むおそれがある。溝に取り込まれた気泡は加圧・加温だけでは溝から追い出せなくなるおそれがある。特に、大きな気泡が接着剤に混入すると接着面が減少するおそれがある。その結果、接着強度の低下を招くことになる。
【００４４】
次に、本発明に係る液体を吐出する装置の一例について図１０及び図１１を参照して説明する。図１０は同装置の要部平面説明図、図１１は同装置の要部側面説明図である。
【００４５】
この装置は、シリアル型装置であり、主走査移動機構４９３によって、キャリッジ４０３は主走査方向に往復移動する。主走査移動機構４９３は、ガイド部材４０１、主走査モータ４０５、タイミングベルト４０８等を含む。ガイド部材４０１は、左右の側板４９１Ａ、４９１Ｂに架け渡されてキャリッジ４０３を移動可能に保持している。そして、主走査モータ４０５によって、駆動プーリ４０６と従動プーリ４０７間に架け渡したタイミングベルト４０８を介して、キャリッジ４０３は主走査方向に往復移動される。
【００４６】
このキャリッジ４０３には、本発明に係る液体吐出ヘッド４０４及びヘッドタンク４４１を一体にした液体吐出ユニット４４０を搭載している。液体吐出ユニット４４０の液体吐出ヘッド４０４は、例えば、イエロー（Ｙ）、シアン（Ｃ）、マゼンタ（Ｍ）、ブラック（Ｋ）の各色の液体を吐出する。また、液体吐出ヘッド４０４は、複数のノズルからなるノズル列を主走査方向と直交する副走査方向に配置し、吐出方向を下方に向けて装着している。
【００４７】
液体吐出ヘッド４０４の外部に貯留されている液体を液体吐出ヘッド４０４に供給するための供給機構４９４により、ヘッドタンク４４１には、液体カートリッジ４５０に貯留されている液体が供給される。
【００４８】
供給機構４９４は、液体カートリッジ４５０を装着する充填部であるカートリッジホルダ４５１、チューブ４５６、送液ポンプを含む送液ユニット４５２等で構成される。液体カートリッジ４５０はカートリッジホルダ４５１に着脱可能に装着される。ヘッドタンク４４１には、チューブ４５６を介して送液ユニット４５２によって、液体カートリッジ４５０から液体が送液される。
【００４９】
この装置は、用紙４１０を搬送するための搬送機構４９５を備えている。搬送機構４９５は、搬送手段である搬送ベルト４１２、搬送ベルト４１２を駆動するための副走査モータ４１６を含む。
【００５０】
搬送ベルト４１２は用紙４１０を吸着して液体吐出ヘッド４０４に対向する位置で搬送する。この搬送ベルト４１２は、無端状ベルトであり、搬送ローラ４１３と、テンションローラ４１４との間に掛け渡されている。吸着は静電吸着、あるいは、エアー吸引などで行うことができる。
【００５１】
そして、搬送ベルト４１２は、副走査モータ４１６によってタイミングベルト４１７及びタイミングプーリ４１８を介して搬送ローラ４１３が回転駆動されることによって、副走査方向に周回移動する。
【００５２】
さらに、キャリッジ４０３の主走査方向の一方側には搬送ベルト４１２の側方に液体吐出ヘッド４０４の維持回復を行う維持回復機構４２０が配置されている。
【００５３】
維持回復機構４２０は、例えば液体吐出ヘッド４０４のノズル面（ノズルが形成された面）をキャッピングするキャップ部材４２１、ノズル面を払拭するワイパ部材４２２などで構成されている。
【００５４】
主走査移動機構４９３、供給機構４９４、維持回復機構４２０、搬送機構４９５は、側板４９１Ａ，４９１Ｂ、背板４９１Ｃを含む筐体に取り付けられている。
【００５５】
このように構成したこの装置においては、用紙４１０が搬送ベルト４１２上に給紙されて吸着され、搬送ベルト４１２の周回移動によって用紙４１０が副走査方向に搬送される。
【００５６】
そこで、キャリッジ４０３を主走査方向に移動させながら画像信号に応じて液体吐出ヘッド４０４を駆動することにより、停止している用紙４１０に液体を吐出して画像を形成
する。
【００５７】
このように、この装置では、本発明に係る液体吐出ヘッドを備えているので、高画質画像を安定して形成することができる。
【００５８】
次に、本発明に係る液体吐出ユニットの他の例について図１２を参照して説明する。図１２は同ユニットの要部平面説明図である。
【００５９】
この液体吐出ユニットは、前記液体を吐出する装置を構成している部材のうち、側板４９１Ａ、４９１Ｂ及び背板４９１Ｃで構成される筐体部分と、主走査移動機構４９３と、キャリッジ４０３と、液体吐出ヘッド４０４で構成されている。
【００６０】
なお、この液体吐出ユニットの例えば側板４９１Ｂに、前述した維持回復機構４２０、及び供給機構４９４の少なくともいずれかを更に取り付けた液体吐出ユニットを構成することもできる。
【００６１】
次に、本発明に係る液体吐出ユニットの更に他の例について図１３を参照して説明する。図１３は同ユニットの正面説明図である。
【００６２】
この液体吐出ユニットは、流路部品４４４が取付けられた液体吐出ヘッド４０４と、流路部品４４４に接続されたチューブ４５６で構成されている。
【００６３】
なお、流路部品４４４はカバー４４２の内部に配置されている。流路部品４４４に代えてヘッドタンク４４１を含むこともできる。また、流路部品４４４の上部には液体吐出ヘッド４０４と電気的接続を行うコネクタ４４３が設けられている。
【００６４】
本願において、「液体を吐出する装置」は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
【００６５】
この「液体を吐出する装置」は、液体が付着可能なものの給送、搬送、排紙に係わる手段、その他、前処理装置、後処理装置なども含むことができる。
【００６６】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００６７】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００６８】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００６９】
上記「液体が付着可能なもの」の材質は、紙、糸、繊維、布帛、皮革、金属、プラスチック、ガラス、木材、セラミックスなど液体が一時的でも付着可能であればよい。
【００７０】
また、「液体」は、インク、処理液、ＤＮＡ試料、レジスト、パターン材料、結着剤、造形液、又は、アミノ酸、たんぱく質、カルシウムを含む溶液及び分散液なども含まれる。
【００７１】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００７２】
また、「液体を吐出する装置」としては他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【００７３】
「液体吐出ユニット」とは、液体吐出ヘッドに機能部品、機構が一体化したものであり、液体の吐出に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００７４】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００７５】
例えば、液体吐出ユニットとして、図１１で示した液体吐出ユニット４４０のように、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【００７６】
また、液体吐出ユニットとして、液体吐出ヘッドとキャリッジが一体化されているものがある。
【００７７】
また、液体吐出ユニットとして、液体吐出ヘッドを走査移動機構の一部を構成するガイド部材に移動可能に保持させて、液体吐出ヘッドと走査移動機構が一体化されているものがある。また、図１２で示したように、液体吐出ユニットとして、液体吐出ヘッドとキャリッジと主走査移動機構が一体化されているものがある。
【００７８】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００７９】
また、液体吐出ユニットとして、図１３で示したように、ヘッドタンク若しくは流路部品が取付けられた液体吐出ヘッドにチューブが接続されて、液体吐出ヘッドと供給機構が一体化されているものがある。
【００８０】
主走査移動機構は、ガイド部材単体も含むものとする。また、供給機構は、チューブ単体、装填部単体も含むものする。
【００８１】
また、「液体吐出ヘッド」は、使用する圧力発生手段が限定されるものではない。例えば、圧電アクチュエータ以外にも、発熱抵抗体などの電気熱変換素子を用いるサーマルアクチュエータ、振動板と対向電極からなる静電アクチュエータなどを使用するものでもよい。
【００８２】
また、本願の用語における、画像形成、記録、印字、印写、印刷、造形等はいずれも同義語とする。
【符号の説明】
【００８３】
１  ノズル板
２  流路板
３  振動板部材
４  ノズル
６  個別液室
１０  共通液室
１１  圧電素子
１４  上部電極（個別電極）
２０  アクチュエータ基板
２５  接合部
２６  段差部
５０  保持基板
５５  保持部
５６  溝部
７０  フレーム部材
３００  接着剤
４０３  キャリッジ
４０４  液体吐出ヘッド
４４０  液体吐出ユニット
【図１】
2017105008.tif 000003
【図２】
2017105008.tif 000004
【図３】
2017105008.tif 000005
【図４】
2017105008.tif 000006
【図５】
2017105008.tif 000007
【図６】
2017105008.tif 000008
【図７】
2017105008.tif 000009
【図８】
2017105008.tif 000010
【図９】
2017105008.tif 000011
【図１０】
2017105008.tif 000012
【図１１】
2017105008.tif 000013
【図１２】
2017105008.tif 000014
【図１３】
2017105008.tif 000015